(57)【要約】      （修正有）【課題】既存のビデオカセットテープの陳列棚をディスクの収納陳列用ケースの陳列棚に転用する。【解決手段】ビデオカセットテープを並べる既存の陳列棚Ａにおいて、上記陳列棚Ａの座板２上に途中から後縁迄を重ねると共に、前縁から上記座板２の後縁迄の距離がディスクｂの収納背見出しが通路側に向く陳列ケースＢの下面略全長の寸法になる補助座板１１と、この補助座板１１の上記座板２の前縁より前方の下面で、上記補助座板１１の前縁に沿って設けた係合溝１２と、この係合溝に係合関係になってスライド自在に設けた所要数のスライダ１３と、このスライダ１３から通路の反対方向に突出すると共に、上記補助座板１１の通路の反対方向のスライドにともない復元力に抗して押し戻され、かつスライド終了にともない復元して上記座板２の前縁下面の折り返し部３に引っかかるように設けた係止板１４とからなる陳列棚装置を採用する。【選択図】図３
2007222213.tif 000002
【特許請求の範囲】
【請求項１】
通路に背見出しを向けてビデオカセットテープを並べる既存の陳列棚において、上記陳列棚の座板上に途中から後縁迄を重ねると共に、前縁から上記座板の後縁迄の距離がディスクの収納背見出しが通路側に向く陳列ケースの下面略全長の寸法になる補助座板と、この補助座板の上記座板の前縁より前方の下面で、上記補助座板の前縁に沿って設けた係合溝と、この係合溝に係合関係になってスライド自在に設けた所要数のスライダと、このスライダから通路の反対方向に突出すると共に、上記補助座板の通路の反対方向のスライドにともない復元力に抗して押し戻され、かつスライド終了にともない復元して上記座板の前縁下面の折り返し部に引っかかるように設けた係止板とからなる陳列装置。
【請求項２】
通路に背見出しを向けてビデオカセットテープを並べる既存の陳列棚において、上記陳列棚の座板上に途中から後縁迄を重ねると共に、前縁から上記座板の後縁迄の距離がディスクの収納背見出しが通路側に向く陳列ケースの下面略全長の寸法になる補助座板と、この補助座板の上記座板の前縁より前方の下面で、上記補助座板の前縁に沿って設けた係合溝と、この係合溝に係合関係になってスライド自在に設けた所要数のスライダと、このスライダから通路の反対方向に突出すると共に、上記補助座板の通路の反対方向のスライドにともない復元力に抗して押し戻され、かつスライド終了にともない復元するように設けた舌片と、この舌片の突出端に前記舌片の復元にともない上記陳列棚の座板の後縁から起立する背板に引っかかるように設けたフック部とからなる陳列装置。
【請求項３】
前記スライダに舌片に平行して通路の反対方向に突出すると共に、補助座板の通路の反対方向のスライドにともない復元力に抗して押し戻され、かつスライド終了にともない復元する上記舌片よりも長い長尺舌片を設け、この長尺舌片の突出端に前記長尺舌片の復元にともない背板の下縁後面のリブに引っかかるフック部を設けたことを特徴とする請求項２に記載の陳列装置。
【請求項４】
前記舌片或いは長尺舌片の少なくとも片方に、補助座板の通路の反対方向のスライドにともない押し戻され、かつスライド終了にともない復元して座板の前縁下面の折り返し部に引っかかる係止爪を設けたことを特徴とする請求項２又は３に記載の陳列装置。
【請求項５】
通路に背見出しを向けてビデオカセットテープを並べる既存の陳列棚において、上記陳列棚の座板上に途中から後縁迄を重ねると共に、前縁から上記座板の後縁迄の距離がディスクの収納背見出しが通路側に向く陳列ケースの下面略全長の寸法になる補助座板と、この補助座板の上記座板の前縁より前方の下面で、上記補助座板の前縁に沿って設けた係合溝と、この係合溝に係合関係になってスライド自在に設けた所要数のスライダと、このスライダから通路の反対方向に突出すると共に、突出端が座板の後縁に到達するように設けた舌片と、この舌片の突出端から上向きに突出して上記座板の後縁から起立する背板に引っかかるように設けたフック部と、上記舌片の途中に設けた中折れ用のヒンジと、上記舌片の下面で、上記ヒンジの前後にそれぞれ設けた支持部と、この両支持部に両端部を着脱自在に支持させて上記フック部の引っかかりを維持させるように上記舌片の直線状態を保つ保形体とからなる陳列装置。
【請求項６】
既存の陳列棚の座板上或いは前記座板上に途中から後縁迄を重ねて取付けた補助座板上の左右に対向状に起立させて適宜の支持手段を介し取付けた仕切板と、この仕切板の対向側面の通路側前縁の後方上部に必要な際上記側面から突出状に存在させて立て掛けた姿勢の陳列物の通路側反対面を支えるように設けた受部とからなる陳列装置。
【請求項７】
既存の陳列棚の座板上に途中から後縁迄を重ねて取付けた補助座板と、この補助座板上に載置して適宜の支持手段を介し取付けた板状体と、この板状体の通路側前縁から上方に起立すると共に、途中の中折れヒンジにより通路側に向けて倒れる受板と、上記補助座板上の通路側前縁の係止部に下縁を係止して立て掛けた陳列物を上記受板により後傾姿勢に受け止めると共に、前記受板の後方への倒れを阻止するように設けたストッパ装置とからなる陳列装置。
【請求項８】
既存の陳列棚の座板上に載置して適宜の支持手段を介し取付けた板状体と、この板状体の通路側から上方に起立すると共に、途中の中折れヒンジにより通路側に向けて倒れる受板と、上記座板或いは板状体の通路側前縁の係止部に下縁を係止して立て掛けた陳列物を上記受板により後傾姿勢に受け止めると共に、前記受板の後方への倒れを阻止するように設けたストッパ装置とからなる陳列装置。
【発明の詳細な説明】
【技術分野】
【０００１】
この発明は、ショップの既存のビデオカセットテープ用の棚をディスクの収納陳列ケースの棚として使用することができ、又通路側に狭い表面積の背面側の背見出しを向けた陳列と、通路側に広い面積の側面側を向けた陳列（以下、通路に広い面積側を向けた陳列を面陳と称す）とができるようにした陳列装置に関する。
【背景技術】
【０００２】
ショップの陳列棚には、販売やレンタル用のビデオカセットテープが並列状に（通路側に背見出しを向けた）並べて陳列してある（特許文献１）。
【０００３】
また、陳列効果（題名や内容などの表示がみやすくなるように）を向上するため棚上に立て掛けた姿勢のビデオカセットテープやディスクを収納した陳列ケースを面陳の状態になるように陳列する（特許文献２）。
【特許文献１】特開２００２−２７２５７５号公報
【特許文献２】特開平８−１０１１３号公報
【発明の開示】
【発明が解決しようとする課題】
【０００４】
ところで、特許文献１の（図５に示すような）陳列方式によると、ショップの陳列棚の座板の通路側に向く突出長さ（垂直な背板からの）は、ビデオカセットテープの通路側背見出し面と、通路の反対側面との間の寸法と略同等か、同等寸法より短かく（例えば８０ｍｍ）なっている。
【０００５】
このような寸法の座板上にディスクを収納した陳列ケースを、通路側に背見出しを向けて並べると、座板の通路側前縁から前方（通路側）に陳列ケースの背見出し側が大きく突出（はみ出す）する。
【０００６】
上記陳列ケースの背見出し側と背見出しの反対側との寸法は、約１４０ｍｍ位である。
【０００７】
すると、歩行時の身体が陳列ケースの背見出し側に接触すると、陳列ケースが落下し、落下にともない合成樹脂製の陳列ケースが破損する。
【０００８】
上記の原因は、座板の寸法がディスクの収納陳列ケースの寸法より短かいことにある（すなわち、陳列ケースの座板に対する接触面積の大幅な減少にある）。
【０００９】
そこで、既存のビデオカセットテープ用の棚をディスクの収納陳列ケース用の棚に変更（変換）すると、ショップ側の大幅な出費になる問題が発生する。
【００１０】
又、特許文献２の（図１２及び図１３に示すような）面陳の陳列方式によると、底板の上面通路側前縁の係合溝に陳列物の下縁部を落し込んで立て掛け、この立て掛けた姿勢の後傾な状態を、底板上で背板と陳列物との間に介在してある仕切部材によって維持するようになっている。
【００１１】
すると、ショップのカウンタに顧客により面陳の陳列物が持ち込まれると、ショップ側で新たな陳列物を上記のように立て掛けて面陳する。
【００１２】
このとき、次の面陳用（新たな）陳列物は、ショップの奥の保管庫から選び出すので、著しく手数がかかると共に、次の顧客のため瞬時に陳列することができない問題があった。
【００１３】
そこで、この発明は、既存のビデオカセットテープ用の棚を、ディスクの収納した陳列ケース用に転用することができ、又新たな陳列物を迅速に面陳することができるようにしたことにある。
【課題を解決するための手段】
【００１４】
上記の課題を解決するために、この発明は、通路に背見出しを向けてビデオカセットテープを並べる既存の陳列棚において、上記陳列棚の座板上に途中から後縁迄を重ねると共に、前縁から上記座板の後縁迄の距離がディスクの収納背見出しが通路側に向く陳列ケースの下面略全長の寸法になる補助座板と、この補助座板の上記座板の前縁より前方の下面で、上記補助座板の前縁に沿って設けた係合溝と、この係合溝に係合関係になってスライド自在に設けた所要数のスライダと、このスライダから通路の反対方向に突出すると共に、上記補助座板の通路の反対方向のスライドにともない復元力に抗して押し戻され、かつスライド終了にともない復元して上記座板の前縁下面の折り返し部に引っかかるように設けた係止板とからなる構成を採用する。
【００１５】
また、通路に背見出しを向けてビデオカセットテープを並べる既存の陳列棚において、上記陳列棚の座板上に途中から後縁迄を重ねると共に、前縁から上記座板の後縁迄の距離がディスクの収納背見出しが通路側に向く陳列ケースの下面略全長の寸法になる補助座板と、この補助座板の上記座板の前縁より前方の下面で、上記補助座板の前縁に沿って設けた係合溝と、この係合溝に係合関係になってスライド自在に設けた所要数のスライダと、このスライダから通路の反対方向に突出すると共に、上記補助座板の通路の反対方向のスライドにともない復元力に抗して押し戻され、かつスライド終了にともない復元するように設けた舌片と、この舌片の突出端に前記舌片の復元にともない上記陳列棚の座板の後縁から起立する背板に引っかかるように設けたフック部とからなる構成を採用する。
【００１６】
さらに、前記スライダに舌片に平行して通路の反対方向に突出すると共に、補助座板の通路の反対方向のスライドにともない復元力に抗して押し戻され、かつスライド終了にともない復元する上記舌片よりも長い長尺舌片を設け、この長尺舌片の突出端に前記長尺舌片の復元にともない背板の下縁後面のリブに引っかかるフック部を設けた構成を採用する。
【００１７】
そして、前記舌片或いは長尺舌片の少なくとも片方に、補助座板の通路の反対方向のスライドにともない押し戻され、かつスライド終了にともない復元して座板の前縁下面の折り返し部に引っかかる係止爪を設けた構成を採用する。
【００１８】
さらに、通路に背見出しを向けてビデオカセットテープを並べる既存の陳列棚において、上記陳列棚の座板上に途中から後縁迄を重ねると共に、前縁から上記座板の後縁迄の距離がディスクの収納背見出しが通路側に向く陳列ケースの下面略全長の寸法になる補助座板と、この補助座板の上記座板の前縁より前方の下面で、上記補助座板の前縁に沿って設けた係合溝と、この係合溝に係合関係になってスライド自在に設けた所要数のスライダと、このスライダから通路の反対方向に突出すると共に、突出端が座板の後縁に到達するように設けた舌片と、この舌片の突出端から上向きに突出して上記座板の後縁から起立する背板に引っかかるように設けたフック部と、上記舌片の途中に設けた中折れ用のヒンジと、上記舌片の下面で、上記ヒンジの前後にそれぞれ設けた支持部と、この両支持部に両端部を着脱自在に支持させて上記フック部の引っかかりを維持させるように上記舌片の直線状態を保つ保形体とからなる構成を採用する。
【００１９】
すると、既存のビデオカセットテープ用の陳列棚がディスクの収納陳列ケースの陳列棚に転用することができる。
【００２０】
また、既存の陳列棚の座板上或いは前記座板上に途中から後縁迄を重ねて取付けた補助座板上の左右に対向状に起立させて適宜の支持手段を介し取付けた仕切板と、この仕切板の対向側面の通路側前縁の後方上部に必要な際上記側面から突出状に存在させて立て掛けた姿勢の陳列物の通路側反対面を支えるように設けた受部とからなる構成を採用する。
【００２１】
すると、両仕切板の対向側面の受け部により立て掛けた姿勢に陳列物を受け止めて、面陳することができる。
【００２２】
さらに、既存の陳列棚の座板上に途中から後縁迄を重ねて取付けた補助座板と、この補助座板上に載置して適宜の支持手段を介し取付けた板状体と、この板状体の通路側前縁から上方に起立すると共に、途中の中折れヒンジにより通路側に向けて倒れる受板と、上記補助座板上の通路側前縁の係止部に下縁を係止して立て掛けた陳列物を上記受板により後傾姿勢に受け止めると共に、前記受板の後方への倒れを阻止するように設けたストッパ装置とからなる構成や、既存の陳列棚の座板上に載置して適宜の支持手段を介し取付けた板状体と、この板状体の通路側から上方に起立すると共に、途中の中折れヒンジにより通路側に向けて倒れる受板と、上記座板或いは板状体の通路側前縁の係止部に下縁を係止して立て掛けた陳列物を上記受板により後傾姿勢に受け止めると共に、前記受板の後方への倒れを阻止するように設けたストッパ装置とからなる構成を採用する。
【００２３】
すると、面陳のための陳列物を立て掛けることができる。
【発明の効果】
【００２４】
以上のように、この発明の陳列装置によれば、補助座板の使用によってビデオカセットテープを並べる既存の陳列棚を、ディスクの収納陳列ケースを並べる陳列棚に転用することができる。
【００２５】
このため、ビデオカセットテープの陳列棚を撤去して、新たなディスクの収納陳列ケースの陳列棚を設置（購入による）することがないと共に、既存の陳列棚の撤去などのショップ側の多大な出費をなくすることができる。
【００２６】
また、既存の陳列棚に対する補助座板の取付けも、座板上で補助座板をスライドさせながら（押し込みによる）、座板の前縁下面の折り返し部に係止部を引っかけることや、舌片の突出端のフック部を背板の下縁部や長尺舌片の突出端のフック部を背板の後面下部のリブに引っかけることで極めて簡単に取付けることができ、フック部と折り返し部に引っかかる係止爪とでも取付けができて、補助座板の通路側を止める。すなわち、通路側への陳列ケースの抜き取りにともない通路側への補助座板の移動もなく、補助座板の安定した取付け状態を持続することができる。
【００２７】
さらに、ヒンジを支点として板状体の突端側を人手によりフック部を押し上げながら、背板の下縁部にフック部を引っかけて、引っかけ状態を維持しながら、両支持部に保形体の両端側を支持させて、ヒンジ部での板状体の中折れを阻止することで、背板とフック部との確実な引っかかりを維持することができる。
【００２８】
特に補助座板の係合溝に係止部や、舌片や板状体を有するスライダをスライド自在に嵌入するので、スライダの数を補助座板の長さ（通路に沿う長さ）により自由に増減することができ、既存の陳列棚の座板の長さに制約を受けることがないと共に、長さに応じた取付け位置（引っかかりによる）を自由に決定することもできる。
【００２９】
また、補助座板の対向端を突き合わせて、突き合わせ端を跨ぐように係合溝内のスライダを移動させることで、スライダが補助座板の対向端のジョイントの役目をする効果もある。
【００３０】
さらに、陳列棚の座板や補助座板上に支持手段を介し取付けた左右の仕切板の対向面に突出状に存在させた受部に立て掛けた姿勢の陳列物の背面を支えることで、陳列物の面陳もできる。
【００３１】
また、補助座板や既存の陳列棚の座板上に載置した板状体を支持手段を介し取付けることで、板状体上の受板を起立状態に配置することができる。
【００３２】
このため、係止部に下縁を係止して立て掛けた陳列物を受板により後傾状態に保持させて面陳するとができる効果がある。
【００３３】
そして、起立して受板の後側空間を次の面陳用陳列物のストック用と利用することができるので、ショップの保管庫から陳列物を選択して取り出す手間のかかる作業が不要になる以外に、上述のストック陳列物を取り出す場合、ヒンジを支点として受板を前方（通路側）に倒すことができるため、取り出しがスムーズになり、又起こした受板をストッパ装置により停止させて、安定した起立維持ができる効果もある。
【発明を実施するための最良の形態】
【００３４】
以下、この発明の実施の形態を添付図面に基づいて説明する。
【００３５】
この発明の第１の実施形態では、図１から図４に示すように販売やレンタルショップの通路に背見出しを向けてビデオカセットテープを並べる既存の陳列棚Ａを、通路に背見出しを向けてディスクの収納陳列ケースＢを並べるために転用する陳列棚装置である。
【００３６】
上記の既存の陳列棚Ａは、後縁（通路の反対側）から上方に起立する背板１を有する座板２をフレーム（図示省略）に対し水平に架設して形成されている。
【００３７】
上記の背板１を有する座板２は、例えば金属板をＬ形にプレスなどで成型され、座板２の通路側の前縁は、商品の出し入れの際に手に損傷を負うことがないように、座板２の前縁を座板２の下面に反転させる折り返し部３を設けてある。
【００３８】
当然座板２の前縁（通路側）から背板１迄の距離が、ビデオカセットテープの背見出しから背見出しの反対側の面迄の寸法と略同等になっている。
【００３９】
そこで、座板２上に補助座板１１を重ねて、補助座板１１の通路側縁と背板１との間の距離を、ディスクｂの収納陳列ケースＢの通路側に向く背見出しと、背見出しの反対側の背板１に当接させた面との間の寸法が略一致するようにして、既存の陳列棚Ａを陳列ケースＢの陳列に転用する。
【００４０】
なお、座板２に対する取付け状況下にある補助座板１１の後縁と背板１との間には、図示の場合、かなりの間隔があるが、限定されず背板１に補助座板１１の後縁を近づけてもよい。
【００４１】
また、補助座板１１の座板２の前縁より前方の下面には、座板２の前縁に沿う係合溝１２が設けてあり、この係合溝１２には、係合関係になってスライド自在な所要数のスライダ１３が嵌入してある。
【００４２】
上記の係合溝１２は、図示の場合横長な溝と、この溝の上下間の中央部と補助座板１１の背板１側の面とが連通する開口をＴ字状に形成され、上記のスライダ１３は、図示の場合Ｈ状に形成され、連結板を介し並行する片方の板を係合溝１２の横長な溝に、もう片方の板を補助座板１１の係合溝１２を形成する部分の背面に当接させて係合溝１２の開口に連結板を貫通させ、補助座板１１の所要位置にスライダ１３を係合状態を維持（脱落を防止）してスライドできるようにする。
【００４３】
勿論、係合溝１２及びスライダ１３の形状は、上述に限定されず、同目的を達成するその他の形状であってもよい。
【００４４】
さらに、スライダ１３には、座板２の下側で背板１の方向に突出すると共に、座板２上で背板１に向けて補助座板１１をスライドさせることにより折り返し部３により尖出端部が復元力に抗して押し戻され、尖端部が折り返し部３を通過し終ると復元して、折り返し部３を抱き込む（挟持）係止板１４が設けてあって、係止板１４により座板２に対する補助座板１１の通路側へのすべりを止めて、座板２に対する補助座板１１の安定した取付け状態の維持をはかるようになっている。
【００４５】
上記の補助座板１１は、例えば合成樹脂製品で、押し出し成型により板部と係合溝１２とが一体的に形成され、係止板１４を有するスライダ１３は、例えば合成樹脂製品で、押し出し成型品を所定の幅に寸断して得る。
【００４６】
勿論、合成樹脂製品に限定されず、アルミの型材などであってもよい。
【００４７】
図中１５は陳列ケースＢのグループ毎などの表示具を嵌め込んで立てかける溝、１６は陳列ケースＢを面陳（この面陳は、図６に示すように陳列ケースＢの背見出しに対し直角な広い面積の側面を通路側に向ける意味の陳列）するための立てかけ溝、１７は補助座板１１の上面を開放させて設けた並列溝で、この並列溝１７を設けることで、図５に示すように並列溝１７に倒立Ｕ字状のジョイント板１８を押し込んで、補助座板１１の突き合わせ対向端を接続する。１９は補助座板１１の後縁に設けたテーパー面部である。
【００４８】
上記のように構成すると、座板２上で通路側で背板１方向に補助座板１１をスライドさせて、折り返し部３により係止板１４を押し戻し（押し広げ）、係止板１４の突出端側のへ字状屈曲部分が折り返し部３の部分を通過し終ると、屈曲部分の押し戻しが解除されて復元するので、折り返し部３に係止板１４の突出端が引っかかって、座板２に対する補助座板１１の通路側方向へのすべり出しを阻止して、座板２に対する補助座板１１の安定した取付けができる。
【００４９】
このため、既存のビデオカセットテープの陳列棚Ａが、ディスクの収納陳列ケースＢの陳列棚にすることができる。
【００５０】
なお、図１、２に示すように、直列状に継ぎ足す補助座板１１の突き合わせ端縁を跨ぐように、係合溝１２内のスライダ１３をスライドさせて停止させることで、スライダ１３がジョイントの役目をする。
【００５１】
この発明の第２の実施形態では、第１の実施形態の係合溝１２にスライド自在に嵌入したスライダ１３には、通路の反対方向に突出すると共に、補助座板１１の通路の反対方向のスライドにともない押し戻され、かつスライド終了にともない復元する舌片２１が設けてあり、この舌片２１の突出端には、舌片２１の復元にともない背板１の下縁部背面（通路の反対面）に引っかかるフック部２２が設けてある。
【００５２】
上述の補助座板１１のスライド停止は座板２の前縁にスライダ１３が当接（図９に示すように）して、停止位置決めになる。
【００５３】
上記の陳列棚Ａ、補助座板１１係合溝１２、スライダ１３は第１の実施形態と同様につき構成の説明を省略する。
【００５４】
そしてフック部２２を有する舌片２１は、図示の場合、スライダ１３と一体に成形して設けたが、限定されず、別々に形成して、接続してもよい。
【００５５】
勿論、舌片２１は、材料の弾性などにより復元力が働くようする。
【００５６】
上記のように構成すると、座板２上で通路の反対方向に補助座板１１をスライドさせる。
【００５７】
上記スライドの以前に、座板２の前縁とフック部２２と当接により補助座板１１に対し離反するように舌片２１が押し逃がされ、この押し逃がしが、折り返し部３との接触、次いで座板２との接触により行なわれ、補助座板１１のスライド停止にともない舌片２１の押し逃がしが解除されて、背板１の背面下縁部にフック部２２が引っかかって、この引っかかりによって補助座板１１の通路側へのスライドが阻止され、座板２に対する補助座板１１の安定した取付けができる。
【００５８】
また、図８に示すように、陳列棚Ａの座板２上に陳列ケースＢを並べてある場合でも店員によって舌片２１のフック部２２側を図示下方に引き下げて、補助座板１１の後縁と陳列ケースＢの下面とを当接させて、陳列ケースＢを若干押し上げる。
【００５９】
この押し上げにより、背板１の方向に押し込む補助座板１１の後縁を陳列ケースＢの下面と座板２の上面との間にスムーズに案内し、案内後に舌片２１の下方への引き下げを解放して補助座板１１を背板１の方向にスライドさせて、上述のように、背板１の背面下縁部にフック部２２を引っかける。
【００６０】
すると、座板２上に陳列ケースＢが並べてあっても、補助座板１１の取りつけを行なうことができる効果がある。
【００６１】
さらに、スライダ１３には、図１３、１４に示すように舌片２１に平行して（図示の場合、舌片２１の両側に設けたが、舌片２１の片側のみであってもよい）通路の反対方向に突出すると共に、補助座板１１の通路の反対方向のスライドにともない押し戻され、スライド終了にともない復元する舌片２１よりも長い長尺舌片４１を設け、この長尺舌片４１の突出端にフック部２２と同様のフック部４２を設けておく。
【００６２】
すると、図１４に示すように、背板１の下縁後面に設けてある補助リブ４３にフック部４２が引っかかって、既存の陳列棚Ａにリブ４３が存在しても、補助座板１１の取付けができる。
【００６３】
その際舌片２１のフック部２２の突出縁（突出端）は、リブ４３の下面に当接して、舌片２１は押し下げられて何ら差しつかえがない。
【００６４】
なお、補助座板１１の取付け手順は、第２の実施形態と同様につき説明を省略する。
【００６５】
この発明の第３の実施形態では、図８、９に示すように、舌片２１のスライダ１３側に、補助座板１１の背板１方向へのスライドにともない折り返し部３の下面との接触にともない押し戻され、補助座板１１のスライド停止（この停止は、フック部２２が引っかかった状態）にともない折り返し部３から外れて押し戻しが解除され、解除にともない折り返し部３の背板１側の縁に引っかかる係止爪２５が設けてある。
【００６６】
上記の係止爪２５は、図示の場合、舌片２１にコ字状のスリット２６を入れて、このスリット２６の内側に爪を設けたが、別部品を舌片２１に取り付けて設けてもよい。
【００６７】
すると、折り返し部３と係止爪２５との両者の引っかかりにより一層補助座板１１の通路方向へのすべり出しを阻止する。
【００６８】
なお、第３の実施形態でも舌片２１を有するスライダ１３が補助座板１１の突き合わせ端縁のジョイントの役目もする。
【００６９】
勿論、係止部２５は、舌片２１と長尺舌片４１の両方に設けたり、並列する舌片２１及び長尺舌片４１の片方にのみ設けることもできる。
【００７０】
この発明の第４の実施形態では、図１０から図１２に示すように、第２の実施形態のフック部２２を有する舌片２１の途中に中折れのヒンジ３１を設ける。
【００７１】
このヒンジ３１は、図示の場合、舌片２１の上面両側縁にＶ字状のスリットを入れて設けたが、ピンヒンジであってもよい。
【００７２】
そして、舌片２１の下面で、ヒンジ３１の前後には、支持部３２、３２が設けてあり、この支持部３２、３２に嵌め込んだ板状体３３を支持させてスリット３１の前後の舌片２１の直線状態、すなわち、舌片２１の中折れを阻止する。
【００７３】
上記の支持部３２は、図示の場合角筒を示したが、Ｌ形の屈曲板であってもよい。
【００７４】
そして、板状体３３にかえて軸材などであってもよい。要するに、舌片２１の中折れを阻止する。
【００７５】
上記のように構成すると、座板２上に補助座板１１を（第２の実施形態と同様の方法で補助座板１１をスライドさせて）重ねたのち、ショップ側の店員によって舌片２１のフック部２２側を押し上げて、背板１の背面下縁部にフック部２２を引っかけたのち、この引っかけの状態を維持しながら、支持部３２、３２に板状体３３を嵌め込み支持させて、舌片２１の中折れを阻止する。
【００７６】
すると、背板１に対するフック部２２の係合関係を確実に維持することができる。
【００７７】
この場合、舌片２１には、かならずしも復元力の弾性が不要になる。勿論、舌片２１に復元力があってもよい。
【００７８】
なお、陳列ケースＢが前もって並べてあっても、陳列棚Ａに対して補助座板１１を取付けることができる効果（第２の実施形態と同様に）がある。
【００７９】
また、座板２の前縁全長に折り返し部３があるため、係止板１４や係止爪２５の停止位置に制約を受けることもない。
【００８０】
この発明の第５の実施形態では、図１３から図１８に示すように、座板２或いは補助座板１１上の左右に対向状に起立させて適宜の支持手段Ｅを介し仕切板５１を取付ける。
【００８１】
上記仕切板５１の対向間隔は、陳列物である陳列ケースＢの面陳の幅、すなわち、図１５、１６に示すように背見出しと、その反対側の面とが左右に位置して仕切板５１、５１間に嵌り込む幅とする以外に、図１５に示すように通路側に背見出しを向けた陳列ケースＢの所定枚数の区分毎並べる幅の対向間隔として、通路側に背見出しを向けた陳列と面陳との両方の陳列とができるようにしたが、限定されない。
【００８２】
上記の支持手段Ｅは、図示の場合、仕切板５１の後縁から上方に突出するフック５２を背板１の上縁折り返し部５３に上方から嵌め込んで係止し、仕切板５１の後面に接着剤などで取付けてあるマグネットシート５６を金属製の背板１に磁着させ、又仕切板５１の前縁から下方に突出する突片５４を補助座板１１の溝５５に嵌入して取付けるようになっているが、限定されず、その他の手段により陳列棚Ａに対し仕切板５１を取付けるようにしてもよい。
【００８３】
なお、図１４、１６に示すように、フック５２を大幅と小幅とを並設しておくことにより、折り返し部５３の幅が大きいものと、小さいものとに嵌め込んで係止することができる。
【００８４】
なお、図示の場合、補助座板１１上に仕切板５１を起立させたが、座板２上に仕切板５１を起立させてもよい。
【００８５】
また、仕切板５１の対向側面の通路側前縁の後方上部には、必要な際に上記側面から突出させて面陳用立て掛けた姿勢の陳列ケースＢの通路側反対面を支える受部５７が設けてある。
【００８６】
上記の受部５７は、図示の場合、仕切板５１に両側面が開放する貫窓５８を設け、一側の受部５７の後縁下半部と他側の受部５７の後縁上半部に軸線が垂直な筒部５９を設けて、この両上下の筒部５９を直列状に並べて、筒部５９に貫通させたピン６０の上下端を貫窓５８の上下縁に支持させることで、貫窓５８に両受部５７、５７を押し込むことで、仕切板５１の側面に対し突部５７が存在しないようにし、貫窓５８から受部５７を押し出すことで仕切板５１の側面に対し突出状に受部５７を存在させるようにしたが、限定されず、例えば着脱方式などで存在させたり、存在させないようにすることもある。
【００８７】
図中６１は貫窓５８に押し込んだ受部５７の仮り止め突部である。
【００８８】
上記のように構成すると、図１５に示すように仕切板５１間に通路側に背見出しを向けた所定数の陳列ケースＢを並べたり、面陳のための立て掛けた姿勢の陳列ケースＢを仕切板５１間に介在させて、陳列ケースＢの通路側の反対面を受部５７、５７により支えて面陳する。
【００８９】
その際、面陳の後方空間に、図１６に示すように面陳用の次の陳列ケースＢを並べておく。
【００９０】
並べた次の面陳用の陳列ケースＢの取り出しに際し、受部５７が邪魔になると、受部５７を回動させればよい。
【００９１】
この発明の第６の実施形態では、図２１から図２３に示すように第１の実施形態の座板２上に重ねて取付けた補助座板１１上に適宜の支持手段Ｆを介し板状体７１を取付ける。
【００９２】
座板２に対する補助座板１１の取付けは、第１の実施形態と同様につき説明を省略する。
【００９３】
上記の支持手段Ｆは、図示の場合、板状体７１の下面通路側前縁から下向きに突出する突片７２を溝５５に嵌め込み、板状体７１の後縁から起立する後板７３の後面と板状体７１の下面後部とに接着剤などを介し取付けてあるマグネットシート７４を座板２と背板１とに磁着させて取付けるようにしたが、限定されず、その他の手段で板状体７１を通路側へのすべり出し防止状態に、かつ左右方向の移動を止めて取付けてもよい。
【００９４】
また、板状体７１には、板状体７１の上面通路側前縁から上方に起立すると共に、ヒンジ７５により通路側に向けて倒れる受板７８が設けてある。
【００９５】
上記のヒンジ７５は、図示の場合、板状体７１の前縁から起立する起立片７６の上縁両端部に軸線が水平のＣ字状の抱き込み筒７７を設けて、この抱き込み筒７７に受板７８の下縁両側から外側方向に突出する支軸７９を無理矢理嵌め込んで起伏ヒンジ７５としたが、限定されず、例えば、板状体７１から上方に連なる受板７８の後面（通路の反対側面）に水平なハーフカット（図示省略）を入れてヒンジにすることもできる。
【００９６】
さらに、受板７８には、後傾状態に起立した受板７８の後方倒れを阻止するストッパ装置８０が設けてある。
【００９７】
上記のストッパ装置８０は、受板７８の後面から突出する突出板８１の下縁が受板７８の起立時板状体７１の上面に当接して、ストッパになるようにしてある。
【００９８】
その際、板状体７１の上面二条の突条８２間に突出板８１の下縁が嵌り込んでなお、突出板８１のコーナーを弧状にして、受板７８と共に回動（ヒンジ７５を支点として）する受板７８の板状体７１に対する衝突を回避する。
【００９９】
勿論、限定されず、例えば突出板８１の下縁左右方向に突出する座片（図示省略）を板状体７１の上面に当接させてストッパにすることもできる。
【０１００】
上記のように構成した面陳具Ｘを購入して、図２２に示すように補助座板１１上に載置して支持手段Ｆを介し取付ける。
【０１０１】
すると、起立させた受板７８により陳列ケースＢの通路の反対側面を支えて、面陳のための陳列ケースＢを後傾姿勢で（図２２に示すように）支えることができる。
【０１０２】
このとき、図２２に示すように補助座板１１の上面前縁の立て掛け溝１６に陳列ケースＢの下縁を落し込んで、陳列ケースＢの通路側のすべり出しを阻止する。
【０１０３】
また、受板７８の後方の空間に次の面陳用陳列ケースＢをストックしておく。
【０１０４】
上記面陳の陳列ケースＢがなくなると、図２３に示すように通路側に受板７８を倒し、次いでストックされた陳列ケースＢを取り出したのち、受板７８を起立（図２７に示すように）させ、起立した受板７８によって陳列ケースＢを面陳する。
【０１０５】
すると、ショップの保管庫から選別した陳列ケースを取り出す手間のかかる作業が不要になる特有な効果がある。
【０１０６】
この発明の第７の実施形態では、図２４から図２６に示すように、座板２上に支持手段Ｆを介し載置した板状体９１を取付ける。
【０１０７】
上記の支持手段Ｆは、第６の実施形態と同様につき説明を省略する。
【０１０８】
また、板状体９１上には、第６の実施形態と同様のヒンジ７５及びストッパ装置８０を有する受板７８が設けてある。
【０１０９】
上記のヒンジ７５及びストッパ装置８０は、第６の実施形態と同様につき説明を省略する。なお、ヒンジ７５としてハーフカット９４を示したが、限定されない。
【０１１０】
上記のように構成した面陳具Ｙを購入して、図２５に示すように座板２上に板状体９１を載置して支持手段Ｆにより取付ける。
【０１１１】
すると、起立した受板７８により陳列ケースＢを支えて面陳する。
【０１１２】
受板７８の後方空間には、次の面陳列用陳列ケースＢをストックしておく。
【０１１３】
すると、第６の実施形態と同様に特有な効果がある。
【０１１４】
なお、立て掛けた面陳用の陳列ケースＢの下縁部を、座板２の上面通路側前縁の溝９２に落し込んで、通路側への陳列ケースＢのすべり出しを防止するようにしたが、図２７に示すように板状体９１の前縁を通路側に突出するように延長して、この延長の前縁から上方に向く突片９３を面陳用陳列ケースＢのすべり出し防止にすることもある。
【０１１５】
また、図２８、図２９に示すように、補助座板１１の前縁の溝１５に表示紙Ｓを挿入した透明な表示具Ｔの下向き折り返し片１００を上方から嵌め込んで取付ける。
【０１１６】
さらに、図２５に示すように受板７８の通路側前面の上縁側に突部１０１を設けて、この突部１０１に陳列物を当接すると、陳列物の安定した後傾姿勢とすることができる。
【０１１７】
なお、前述の受板７８を透明にしておくと、面陳の陳列ケースＢを持ち出した際、ストックしてある陳列ケースＢが見える。
【図面の簡単な説明】
【０１１８】
【図１】この発明の第１の実施形態を示す平面図
【図２】補助座板の斜視図
【図３】補助座板の取付けを示す縦断側面図
【図４】同上の要部を示す分解斜視図
【図５】補助座板のジョイントの他の例を示す縦断側面図
【図６】陳列ケースの陳列棚を示す側面図
【図７】第２の実施形態を示す分解斜視図
【図８】補助座板の取付けを示す縦断側面図
【図９】同上の取付けた状態を示す縦断側面図
【図１０】第４の実施形態を示す分解斜視図
【図１１】補助座板の取付けを示す縦断側面図
【図１２】同上の取付けた状態を示す縦断側面図
【図１３】舌片に長尺舌片を並設した斜視図
【図１４】第５の実施形態を示す側面図
【図１５】陳列ケースの陳列を示す平面図
【図１６】同上の要部を示す側面図
【図１７】同側面図
【図１８】仕切板の斜視図
【図１９】受部の作用を示す拡大平面図
【図２０】受部の他の作用を示す平面図
【図２１】第６の実施形態の面陳具の斜視図
【図２２】面陳具の使用を示す一部切欠側面図
【図２３】同上の作用を示す一部切欠側面図
【図２４】第７の実施形態の面陳具を示す斜視図
【図２５】面陳具の使用を示す一部切欠側面図
【図２６】受板の作用を示す一部切欠側面図
【図２７】面陳具の他の例を示す側面図
【図２８】表示具の斜視図
【図２９】表示具の取付けを示す縦断側面図
【符号の説明】
【０１１９】
Ａ      陳列棚
Ｂ      陳列ケース
Ｅ、Ｆ  支持手段
Ｘ、Ｙ  面陳具
ｂ      ディスク
１      背板
２      座板
３      折り返し部
１１    補助座板
１２    係合溝
１３    スライダ
１４    係止板
２１    舌片
２２    フック部
２５    係止爪
２６    スリット
３１    ヒンジ
３２    支持部
３３    板状体
５１    仕切板
５２    フック
５３    折り返し部
５４    突片
５５    溝
５６    マグネットシート
５７    受部
５８    貫窓
５９    筒部
６０    ピン
７１    板状体
７２    突片
７３    後板
７４    マグネットシート
７５    ヒンジ
７６    起立片
７７    抱き込み筒
７８    受板
７９    支軸
８０    ストッパ装置
８１    突出板
８２    突状
９１    板状体
９２    溝
９３    突片
９４    ハーフカット
【図１】
2007222213.tif 000003
【図２】
2007222213.tif 000004
【図３】
2007222213.tif 000005
【図４】
2007222213.tif 000006
【図５】
2007222213.tif 000007
【図６】
2007222213.tif 000008
【図７】
2007222213.tif 000009
【図８】
2007222213.tif 000010
【図９】
2007222213.tif 000011
【図１０】
2007222213.tif 000012
【図１１】
2007222213.tif 000013
【図１２】
2007222213.tif 000014
【図１３】
2007222213.tif 000015
【図１４】
2007222213.tif 000016
【図１５】
2007222213.tif 000017
【図１６】
2007222213.tif 000018
【図１７】
2007222213.tif 000019
【図１８】
2007222213.tif 000020
【図１９】
2007222213.tif 000021
【図２０】
2007222213.tif 000022
【図２１】
2007222213.tif 000023
【図２２】
2007222213.tif 000024
【図２３】
2007222213.tif 000025
【図２４】
2007222213.tif 000026
【図２５】
2007222213.tif 000027
【図２６】
2007222213.tif 000028
【図２７】
2007222213.tif 000029
【図２８】
2007222213.tif 000030
【図２９】
2007222213.tif 000031